(57)【要約】【課題】  中空スラブ工法に用いられる中空材ユニットにおいて、軽量球体を一体形成し、コンパクトで簡単な係止構造によるユニット化を実現することで工程を分けた施工を可能とし、施工方法の簡略化と施工費用の低減を図り、コンクリート材を流し込んでも配置精度が得られ、軽量で設計通りのスラブ強度を確保し、遮音性や断熱性に優れたボイドユニット及びそれを用いた中空コンクリート版を提供する。【解決手段】  略平行に配置された複数本の上端筋３と下端筋４による格子状構造５を巾止部材６により所定距離を離して配置して複数の格子状の空間部１５を形成し、複数の該空間部１５には保持部材１０と係止筋７により保持された軽量球体８を配置して前記上端筋３に係止したボイドユニット２を形成する、及び該ボイドユニット２を図示しないコンクリート材に埋設して固化させる。【選択図】      図１
2006089994.tif 000002
【特許請求の範囲】
【請求項１】
略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、前記格子状に配置された空間部の上端部には複数本の係止筋を所定間隔で略平行に配置し、該係止筋によって前記３次元構造要素を係止するようにしたことを特徴とする建造物構造体。
【請求項２】
略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は下方から保持部材によって保持されるように構成し、該保持部材は前記平行に配置された上端筋の隣接する各上端筋に係止されて前記３次元構造要素を保持するようにしたことを特徴とする建造物構造体。
【請求項３】
略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は、請求項１記載の前記係止筋によって係止され、さらに請求項２記載の前記保持部材によって下方から保持されるようにしたことを特徴とする建造物構造体。
【請求項４】
前記３次元構造要素は、軽量材質の中実体または中空体であることを特徴とする請求項１、請求項２又は請求項３記載の建造物構造体。
【請求項５】
前記３次元構造要素は、金属製或いは石材等の重量物の中実体または中空体であることを特徴とする請求項１、請求項２又は請求項３記載の建造物構造体。
【請求項６】
前記上端筋と下端筋は、それぞれ複数の略直行した筋で構成された格子状構造であることを特徴とする上記請求項の内の１の請求項記載の建造物構造体。
【請求項７】
略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は、請求項１記載の前記係止筋によって係止され、さらに請求項２記載の前記保持部材によって下方から保持されるようにした建造物構造体にコンクリート等の前記３次元構造要素とは異なった流動性素材を流し込んで固化させたことを特徴とする複合建造物構造。
【請求項８】
型枠に略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、次に請求項１記載の前記係止筋によって係止された前記３次元構造要素を前記上端筋に架設して建造物構造体を形成し、又は請求項２記載の前記保持部材によって下方から保持された前記３次元構造要素を前記該複数の格子状の空間部に配置して架設してさらに請求項１記載の前記係止筋によって前記３次元構造要素を係止して建造物構造体を形成し、これら建造物構造体にコンクリート等の前記３次元構造要素とは異なった流動性素材を流し込んで固化させることを特徴とする建造物の施工方法。
【発明の詳細な説明】
【技術分野】
【０００１】
本発明は、建造物構造体、それを用いた建造物構造及び建造物の施工方法に関し、さらに限定的には、建造物構造体がボイドユニットを用いた中空コンクリート版であり、製作が容易で低コストのボイドユニット、そのボイドユニットを用いた施工性、剛性、遮音性に優れた中空コンクリート版、及びその中空コンクリート版を用いた建造物の施工方法に関する。
【０００２】
本願特許明細書において用いる用語は、以下の定義に従って用いるものとする。
「建造物構造体」
建造物構造体とは、建築物、土木構造、船舶、航空機、宇宙基地等の人為的に設計・施工された人間環境を形成する建造物を構成する構造体を言う。
「３次元構造要素」
３次元構造要素とは、任意の形状と任意の体積を有し、建造物構造体を構成する要素を言う。任意の形状とは、球体、楕円体、多面体等の３次元形状を言い、中空体或いは中実体を呈している。その材質は、軽量材質のものとしては、合成樹脂製、発泡樹脂製、木片、おがくず、紙（不織布等）、ゴム、セラミックがあり、重量物としては鉄、銅、アルミニューム等の金属製或いは石材、レンガ等の石材製がある。
【背景技術】
【０００３】
従来から建築物の高層化や広い居住空間を確保するためにコンクリート床スラブの厚さを増して強度を向上させてみるとか、軽量化や遮音性を改善するために、スラブ内部に埋設物を埋設する中空スラブ工法が種々実用化されてきた。このようなコンクリートに埋設する埋設物としては板状の金属を螺旋状に形成したワインディングパイプに代表される中空管やキーストンプレートを折り曲げて箱型に形成したものや、耐水ダンボールを箱型に形成したもの、発泡樹脂を立方体や球形に形成したものなどが用いられている。
【０００４】
このような建築物の構造体としての中空コンクリート版を形成する中空スラブ工法については、例えば従来技術として、中空材本体に連結補強筋が簡単、かつ強固に取り付けられる中空材ユニットを提供することを課題として、中空材ユニットは、上部中空材と下部中空材とが嵌合した中空材本体が連結部材で適宜間隔をもって連結され、これら中空材本体の上部中空材と下部中空材との嵌合部にわたって連結補強材が挟み込まれて構成され、上部中空材および／または下部中空材の中空内には対向面にわたって補強部材が形成されているものが開示されている。
【０００５】
【特許文献１】特開２００４−１３２０４４号公報
【発明の開示】
【発明が解決しようとする課題】
【０００６】
本発明は、従来において、中空スラブ工法に用いられる中空材ユニットの組み立て作業に高度な熟練度を要求されるといった問題や、材料費用や運搬費用、及び管理費用のコストの問題や、保管場所などの問題を解消し、限定的には球状体の軽量球体を一体的に形成することにより、軽量球体の製作が容易で、低コストを実現すると共に、形状がシンプルなために成形費用は大幅に削減され、任意な大きさの軽量球体を安価に多数製作することを可能とするものである。また、予め軽量球体を連結して現場に搬入することも可能で、搬送と材料管理を簡便とし、さらにユニット化により配置精度が容易に得られ、工法の簡略化により取り付けが簡単で、施工経験を殆ど必要とせず、製作工数も削減することができ、施工費用の低コスト化を実現可能とするものであり、前記施工中に設計変更が発生してボイドユニットのエリアを削減する場合も特定の軽量球体のみを簡単に取り外すことを可能とする。さらに本発明は、設計通りのスラブ強度を確保して遮音性、及び断熱性を確保し、騒音の低下と省エネルギーに寄与することが出来るボイドユニット及びそれを用いた中空コンクリート版を提供し、壁面施工も実現可能とするものである。以上のように本発明は、限定的には球状体の軽量球体を用いたボイドユニットを実施例として説明するが、重量構造体を形成したり遮音性を上げたりする目的のために、軽量球体に代えて重量物を用いてもよく、またその形状も球状体に限定されるものではない。本質的に本発明は、鉄筋コンクリート等の建造物要素にそれと相違した素材の３次元構造要素を埋め込み所望の目的の複合建造物構造を得るものである。
【課題を解決するための手段】
【０００７】
請求項１の建造物構造体は、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、前記格子状に配置された空間部の上端部には複数本の係止筋を所定間隔で略平行に配置し、該係止筋によって前記３次元構造要素を係止するようにしたことを特徴とする。
【０００８】
請求項１の構成によれば、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、格子状に配置された空間部の上端部の複数本の係止筋により３次元構造要素が簡単に係止することができ、簡単な構造でコンクリート等の流動性素材を流し込んでも、３次元構造要素が所望位置に安定して位置させることが可能である。
【０００９】
請求項２の建造物構造体は、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は下方から保持部材によって保持されるように構成し、該保持部材は前記平行に配置された上端筋の隣接する各上端筋に係止されて前記３次元構造要素を保持するようにしたことを特徴とする。
【００１０】
請求項２の構成によれば、格子状に配置された３次元構造要素を下方から保持部材によって保持されるように構成することができ、簡単な構造でコンクリート等の流動性素材を流し込んでも、３次元構造要素が所望位置に安定して位置させることが可能である。
【００１１】
請求項３の建造物構造体は、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は、請求項１記載の前記係止筋によって係止され、さらに請求項２記載の前記保持部材によって下方から保持されるようにしたことを特徴とする。
【００１２】
請求項３の構成によれば、格子状に配置された空間部の上端部の複数本の係止筋により３次元構造要素が簡単に係止することができ、且つ、３次元構造要素を下方から保持部材によって保持されるように構成することができ、簡単な構造でコンクリート等の流動性素材を流し込んでも、３次元構造要素が所望位置により安定して位置させることが可能である。
【００１３】
請求項４の建造物構造体は、その３次元構造要素が軽量材質の中実体または中空体であることを特徴とする。
【００１４】
請求項４の構成によれば、３次元構造要素が軽量材質の中実体または中空体であることにより、軽量材質による前記３次元構造要素を用いた請求項１から３記載の建造物は軽量となることから予め該建造物を組み立てて現場に搬入することができ、且つ、コンクリート等の流動性素材を流し込んで固化させることにより軽量な建造物を得ることができる。
【００１５】
請求項５の建造物構造体は、その３次元構造要素が金属製或いは石材等の重量物の中実体または中空体であることを特徴とする。
【００１６】
請求項５の構成によれば、３次元構造要素が金属製或いは石材等の重量物の中実体または中空体であることにより、軽量材質による前記３次元構造要素を用いた請求項１から３記載の建造物は重量物となることからコンクリート等の流動性素材を流し込んで固化させることにより重量な建造物を得ることができる。
【００１７】
請求項６の建造物構造体は、前記上端筋と下端筋は、それぞれ複数の略直行した筋で構成された格子状構造であることを特徴とする。
【００１８】
請求項６の構成によれば、前記上端筋と下端筋は、それぞれ複数の略直行した筋で構成された格子状構造であることにより、前記格子状構造に形成される格子状の空間部の縦横に整列して前記３次元構造要素を配置させることができる。
【００１９】
請求項７の複合建造物構造は、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は、請求項１記載の前記係止筋によって係止され、さらに請求項２記載の前記保持部材によって下方から保持されるようにした建造物構造体にコンクリート等の前記３次元構造要素とは異なった流動性素材を流し込んで固化させたことを特徴とする。
【００２０】
請求項７の構成によれば、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は、請求項１記載の前記係止筋によって係止され、さらに請求項２記載の前記保持部材によって下方から保持されるようにした建造物構造体にコンクリート等の前記３次元構造要素とは異なった流動性素材を流し込んで固化させたことにより、前記３次元構造要素が配置された建造物構造体を骨格としてコンクリート等の流動性素材を流し込んで固化させた複合建造物構造体を得ることができる。
【００２１】
請求項８の建造物の施工方法は、型枠に略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を予め形成し、次に請求項１記載の前記係止筋によって係止された前記３次元構造要素を前記上端筋に架設して建造物構造体を形成し、又は請求項２記載の前記保持部材によって下方から保持された前記３次元構造要素を前記該複数の格子状の空間部に配置して架設してさらに請求項１記載の前記係止筋によって前記３次元構造要素を係止して建造物構造体を形成し、これら建造物構造体にコンクリート等の前記３次元構造要素とは異なった流動性素材を流し込んで固化させることを特徴とする建造物の施工方法。
【００２２】
請求項８の構成によれば、型枠に略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を予め形成し、次に請求項１記載の前記係止筋によって係止された前記３次元構造要素を前記上端筋に架設して建造物構造体を形成し、又は請求項２記載の前記保持部材によって下方から保持された前記３次元構造要素を前記該複数の格子状の空間部に配置して架設してさらに請求項１記載の前記係止筋によって前記３次元構造要素を係止して建造物構造体を形成し、これら建造物構造体にコンクリート等の前記３次元構造要素とは異なった流動性素材を流し込んで固化させることにより、前記建造物の施工方法は、前記複数の上端筋と下端筋と巾止部材による格子状構造体を組み立てる工程と、前記３次元構造要素を架設する工程と、コンクリートなどの流動性素材を流し込んで固化させる工程に分けて施工することができる。
【発明の効果】
【００２３】
請求項１の発明によれば、格子状に配置された空間部の上端部の複数本の係止筋により３次元構造要素が簡単に係止することができ、簡単な構造でコンクリート等の流動性素材を流し込んでも、３次元構造要素がコンクリート材の流れにより移動したり浮き上がったりすることを阻止され、所望位置に安定して位置させることが可能であることにより、コンクリート等を固化させた後の強度分布のばらつきを抑えた複合建造物構造体を得ることができる。
【００２４】
請求項２の発明によれば、格子状に配置された３次元構造要素を下方から保持部材によって保持されるように構成することができ、簡単な構造でコンクリート等の流動性素材を流し込んでも、３次元構造要素がコンクリート材の流れにより移動したり浮き上がったりすることを阻止され、所望位置に安定して位置させることが可能であることにより、コンクリート等を固化させた後の強度分布のばらつきを抑えた複合建造物構造体を得ることができる。
【００２５】
請求項３の発明によれば、格子状に配置された空間部の上端部の複数本の係止筋により３次元構造要素が簡単に係止することができ、且つ、３次元構造要素を下方から保持部材によって保持されるように構成することができ、簡単な構造でコンクリート等の流動性素材を流し込んでも、３次元構造要素がコンクリート材の流れにより移動したり浮き上がったりすることを阻止され、所望位置により安定して位置させることが可能であることにより、コンクリート等を固化させた後の強度分布のばらつきを抑えた複合建造物構造体を得ることができる。
【００２６】
請求項４の発明によれば、３次元構造要素が軽量材質の中実体または中空体であることにより、軽量材質による前記３次元構造要素を用いた請求項１から３記載の建造物構造体の軽量化が可能であることにより、予め該建造物構造体を組み立てて現場に搬入することができ、且つ、コンクリート等の流動性素材を流し込んで固化させることにより軽量な複合建造物構造体を得ることができることにより、設計値通りの構造体強度を確保して遮音性、及び断熱性を確保することができる。
【００２７】
請求項５の発明によれば、３次元構造要素が金属製或いは石材等の重量物の中実体または中空体であることにより、軽量材質による前記３次元構造要素を用いた請求項１から３記載の建造物は重量物となることからコンクリート等の流動性素材を流し込んで固化させることにより重量な建造物を得ることができることにより、設計値通りの構造体強度を確保して遮音性、及び制震性を確保することができる。
【００２８】
請求項６の発明によれば、前記上端筋と下端筋は、それぞれ複数の略直行した筋で構成された格子状構造であることにより、前記格子状構造に形成される格子状の空間部の縦横に整列して前記３次元構造要素を配置させることができる。
【００２９】
請求項７の発明によれば、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、該複数の格子状の空間部には３次元構造要素が配置され、該３次元構造要素は、請求項１記載の前記係止筋によって係止され、さらに請求項２記載の前記保持部材によって下方から保持されるようにした建造物構造体にコンクリート等の前記３次元構造要素とは異なった流動性素材を流し込んで固化させたことにより、前記３次元構造要素が配置された建造物構造体を骨格としてコンクリート等の流動性素材を流し込んで固化させた複合建造物構造体を得ることができる。
【００３０】
請求項８の発明によれば、型枠に略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を予め形成し、次に請求項１記載の前記係止筋によって係止された前記３次元構造要素を前記上端筋に架設して建造物構造体を形成し、又は請求項２記載の前記保持部材によって下方から保持された前記３次元構造要素を前記該複数の格子状の空間部に配置して架設してさらに請求項１記載の前記係止筋によって前記３次元構造要素を係止して建造物構造体を形成し、これら建造物構造体にコンクリート等の前記３次元構造要素とは異なった流動性素材を流し込んで固化させることにより、前記建造物の施工方法は、前記複数の上端筋と下端筋と巾止部材による格子状構造体を組み立てる工程と、前記３次元構造要素を架設する工程と、コンクリート等の流動性素材を流し込んで固化させる工程に分けて施工することができる。
【発明を実施するための最良の形態】
【００３１】
以上のように、本発明は、本質的には、鉄筋コンクリート等の建造物構造体にそれと相違した素材の３次元構造要素を埋め込み、所望の目的の複合建造物構造を得るものであるが、以下の実施例の説明においては、最も多く適用されている、中実状或いは中空状の通常「ボイド」と呼ばれる球状体を多数埋設して鉄筋コンクリート等の床要素を得る実施例について説明する。
【００３２】
もちろん、前述したとおり、建造物構造体とは、建築物、土木構造、船舶、航空機、宇宙基地等の人為的に設計・施工された人間環境を形成する建造物を構成する構造体を言い、３次元構造要素とは、任意の形状と任意の体積を有し、建造物構造体を構成する要素を言うものである。また、任意の形状とは、球体、楕円体、多面体等の３次元形状を言い、中空体或いは中実体を呈しており、その材質は、軽量材質のものとしては、合成樹脂製、発泡樹脂製、木片、おがくず、紙（不織布等）、ゴム、セラミックがあり、重量物としては鉄、銅、アルミニューム等の金属製或いは石材、レンガ等の石材製がある。ここでは、説明の容易のために、上述の実施例に限って説明するが、本願発明をそれに限定するものではない。以下、本発明を実施するための最良の形態としての実施例を図１から図２３により以下に説明する。
【００３３】
図２から図７は本発明の第一実施例を示す係止筋７により保持した軽量球体（３次元構造要素）８と、前記軽量球体８の係止筋７を上端筋３と連結したボイドユニット（建造物構造体）２を形成した説明図であり、図８は第一実施例によるボイドユニット２を組み立てる手順を示した説明図である。
【００３４】
また図１及び図９から図１６は本発明の第二実施例における軽量球体８の下方１７を剛性保持部材１０により保持し前記軽量球体８の頂部１６を係止する係止筋７を前記上端筋３に架設させたボイドユニット２を形成した説明図であり、図１５は前記剛性保持部材１０を用いたボイドユニット２を組み立てる手順を示した説明図である。さらに、図１６は複数の軽量球体８を前記剛性保持部材１０で連結して形成したボイドユニット２の説明図である。
【００３５】
次に、図１７から図２３は第二実施例における軽量球体８の下方１７を可撓性保持部材１１により保持し前記軽量球体８の頂部１６を係止する係止筋７を前記上端筋３に架設させたボイドユニット２を形成した説明図であり、図２２は前記可撓性保持部材１１を用いたボイドユニット２を組み立てる手順を示した説明図である。さらに、図２３は複数の軽量球体８を前記可撓性保持部材１１で連結して形成したボイドユニット２の説明図である。もちろん、本発明は、その発明の趣旨に反さない範囲で、以下の限定的実施例において説明した以外のものに対しても、３次元構造要素である軽量球体２の形状或いは素材を変更することにより、多目的な中空コンクリート版に容易に適用可能なことは説明を要するまでもない。
【００３６】
本発明の建造物構造体２は、限定的な実施例としては図１に示すボイドユニット２の平面説明図のように、それぞれが格子状に配置した上端筋３と図示しない下端筋からなる格子状構造部材５を上下平行に配置し、その上下各格子状構造部材５を巾止部材６で連結するとともに、上端筋３と下端筋（図１では図示略）によって碁盤目状に区画された空間部１５内に発泡樹脂製中実体または樹脂製中空材から成る複数の軽量球体８を縦横に配置させ、列方向に並んだ前記空間部１５の間隔に対応するように複数の軽量球体８を支持する支持部材として係止筋７を設け、この係止筋７を上端筋３と連結して各軽量球体８を空間部１５内に配置し、前記軽量球体８を下方１７から保持させる保持部材１０を設けて保持させたボイドユニット構成である。ここにおいて、上端筋と下端筋とは、それぞれ格子状構造部材によって碁盤目状に区画された空間部を形成しているが、これは建造物構造体の要求強度によって決められるものであり、碁盤目状に区画された空間部を形成するためには、請求項１等で規定された発明の通り、略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成するもので良い（図示は省略する）。
【実施例１】
【００３７】
図２は第一実施例における軽量球体８に係止溝２０を設けて係止筋７を嵌入した状態の断面説明図である。図２Ａは発泡樹脂による中実体を用いた軽量球体８の頂部１６近傍に前記係止溝２０を１箇所形成して係止筋７を１本嵌入可能とし、図２Ｂは前記係止溝２０を２箇所に形成して係止筋７を２本嵌入可能としてあり、本発明の建造物構造体においては、軽量球体８の１乃至２箇所に形成した係止溝２０を嵌入部２５として係止筋７を嵌入することにより、後述する第二実施例による図示しない保持部材により上端筋に保持した軽量球体８が図示しないコンクリート材を流し入れて打設するとき発生する軽量球体８の浮き上がり及びコンクリート材の流れによる移動を防止するために前記係止筋７により押さえ込むことができるボイドユニット構成である。
【００３８】
続いて図３は前記軽量球体８に設けた係止溝２０に嵌入した係止筋７を接着剤で固定した断面説明図である。図３Ａは発泡樹脂による中実体を用いた軽量球体８に前記係止溝２０を１箇所形成して係止筋７を１本嵌入して接着してあり、図３Ｂは前記係止溝２０を２箇所に形成して２本の係止筋７を嵌入して接着してある。本発明の建造物構造体においては、予め前記嵌入部２５を接着固定した接着固定部２６とすることにより、前記軽量球体８と前記係止筋７を一体として取り扱うことができるので後述する格子状構造部材（図示略）に容易に架設することができると共に、第二実施例において図示しない保持部材により上端筋に保持することを可能とし、さらに係止筋７を嵌入した後に該係止筋７を軽量球体８と接着して固定させたボイドユニット構成である。
【００３９】
図４は前記係止筋７の一部を軽量球体８に埋設又は貫通させた断面説明図である。図４Ａは発泡樹脂による中実体を用いた前記軽量球体８の頂部１６近傍に１本の係止筋７を埋設、或いは貫通させた埋設部２７であり、図４Ｂは前記軽量球体８の頂部１６近傍に係止筋２本を埋設、或いは貫通させてある。本発明の建造物構造体においては、予め係止筋７の一部を軽量球体８に埋設又は貫通させておくことにより、前記軽量球体８と前記係止筋７を一体として取り扱うことができるので。後述する格子状構造部材（図示略）に容易に架設することができるボイドユニット構成である。
【００４０】
図５は２本の係止筋７を軽量球体８に埋設部２７で埋設又は貫通させ、巾止部材６により上下が連結された格子状構造部材５の上端筋３に架設させたボイドユニット２の平面説明図であり、図６は前記図５に示す（ｃ）−（ｃ）断面を示し、図７は前記図５に示す（ｄ）-（ｄ）断面説明図である。本発明の建造物構造体２において、図５及び図６、図７に示すように係止筋７は、図示しない型枠内にコンクリート材を流し入れたときに空間部１５内から軽量球体８が浮き上がり、及びコンクリート材の流れによる移動することを抑えるために、少なくとも２本の係止筋７を上端筋３に架設させたボイドユニット構成である。
【００４１】
続いて、図８は前記図６のボイドユニット２を形成する手順を示すボイドユニット２の断面説明図である。予め複数本の上端筋３と下端筋４を所定間隔だけ離して複数本の巾止部材６によって固定配置した格子状構造部材５を形成しておき、該格子状構造部材５に形成された空間部１５に軽量球体８を１個ずつ順に配置して該軽量球体８を埋設部２７で埋設又は貫通して係止する前記係止筋７により前記格子状構造部材５の上端筋３に架設して係止することができる。また、前記係止筋７は、図示しない型枠内にコンクリート材を流し入れたときに空間部１５内からの軽量球体８の浮き上がり及びコンクリート材の流れによる移動を抑えるために、少なくとも２本の係止筋７が上端筋３に架設させたボイドユニット構成である。
【実施例２】
【００４２】
続いて、第二実施例における軽量球体８を下方１７から保持するために保持部材１０，１１を設けた状態について、図１及び図９から図２３を参照しながら以下に説明する。
【００４３】
図１及び図９から図１６に示す軽量球体８を下方１７から保持する保持部材１０は金属製または樹脂製であり両端に上端筋３と係止するフック部１２を形成した剛性保持部材１０であり、或いは図１７から図２３に示す保持部材１１は可撓性を有した帯状または紐状で両端に上端筋３と係止する別体のフック部１２を備えた帯状保持部材１１ａ又は紐状保持部材１１ｂである。これら保持部材１０，１１は軽量球体８の下方１７に設けた係止溝２０に嵌入又は接着固定、或いは保持部材１０，１１の一部を軽量球体８に埋設して該保持部材１０，１１により軽量球体８を保持したボイドユニット構成である。さらにこのボイドユニット２は軽量球体８の頂部１６を係止する係止筋７と組み合わせることにより軽量球体８は下方１７と頂部１６の両面から係止したボイドユニット構成である。
【００４４】
図１は、それぞれが格子状に配置した上端筋３と、図示しない下端筋からなる格子状構造部材５を平行に配置し、その上下各格子状構造部材５を巾止部材６で連結するとともに、上端筋３と下端筋（図示略）によって碁盤目状に区画された空間部１５内に発泡樹脂製中実体から成る複数の軽量球体８を縦横に配置させ、図９及び図１０のように複数の軽量球体８の下方１７を保持した剛性保持部材１０を設け、この剛性保持部材１０に形成するフック部１２を上端筋３に引っ掛けて空間部１５内に軽量球体８を配置するとともに、軽量球体８の頂部１６近傍に設けた係止溝２０に係止筋７を嵌入して前記上端筋３に係止させたボイドユニットであり図示しない、型枠内にコンクリート材を流し入れたときにその空間部１５内から軽量球体８が浮き上ること、及びコンクリート材の流れによる移動を抑える前記係止筋７を上端筋３に架設させたボイドユニット構成である。
【００４５】
図９は図１における（ａ）-（ａ）断面に相当する位置を示しており、図１０は図１における（ｂ）-（ｂ）断面に相当する位置を示している。また前記図２Ａで示した軽量球体８の下方１７に２箇所の係止溝２０を平行に設けて２本の剛性保持部材１０を嵌入して保持し、前記剛性保持部材１０の両端に設けたフック部１２を上端筋３に引っ掛けて係止して、さらに軽量球体８の頂部１６には前記２本の剛性保持部材１０と直行する１本の係止筋７が埋設され、該係止筋７により上端筋３に架設させて係止したボイドユニット２である。これにより前記軽量球体８は下方１７側を平行する２本の剛性保持部材１０によって保持されると共に、これと直行するように埋設した頂部１６の係止筋７により３点支持されることで図示しない型枠内にコンクリート材を流し入れたときにその空間部１５内から軽量球体８が浮き上ること、及びコンクリート材の流れによる移動を抑えるボイドユニット構成である。
【００４６】
続いて、図１１及び図１２は軽量球体８の下方１７に１本の剛性保持部１０を埋設して保持し、軽量球体８の頂部１６には前記剛性保持部材１０と直行するように設けた２本の平行する係止筋７を埋設又は貫通することにより上端筋３に係止したボイドユニット構成である。
【００４７】
また、図１３から図１４は軽量球体８の下方１７に直行して設けた２箇所の係止溝２０に２本の剛性保持部材１０を嵌入して接着固定し、軽量球体８の頂部１６には前記剛性保持部材１０と直行するように設けた１本の係止筋７を係止溝に嵌入して接着固定することにより上端筋３に係止したボイドユニット構成である。
【００４８】
続いて、図１５は前記図１３及び図１４におけるボイドユニット２を形成する手順を示すボイドユニット２の断面説明図である。図において左側はこれから軽量球体８を取り付ける段階であり、中央は軽量球体８を取り付けて剛性保持部材１０のフック部１２が上端筋３に引っ掛かった状態、右側は係止筋７を嵌入して取り付けが完了した状態である。図によれば予め複数本の上端筋３と下端筋４を所定間隔だけ離して複数本の巾止部材６によって固定配置した格子状構造部材５を形成しておき、該格子状構造部材５に形成された空間部１５に剛性保持部材１０を接着した軽量球体８を１個ずつ順に配置して剛性保持部材１０の両端のフック部１２を上端筋３に引っ掛けて保持し、該軽量球体８の頂部１６に係止筋７を嵌入すると共に前記格子状構造部材５の上端筋３に架設し、前記係止筋３の嵌入部２５を接着固定して係止させたボイドユニット構成である。
【００４９】
図１６は前記図１３に示す平行した２本の保持部材１０が４個連続した剛性保持部材１０からなり、この剛性保持部材１０に空間部１５内の間隔に対応させて４個の軽量球体８を取り付けるとともに、上端筋３の間隔に応じた５個のフック部１２を形成し、個々の軽量球体８は頂部１６に係止筋３を埋設部２７で埋設又は貫通させて係止したボイドユニット構成である。
【００５０】
本発明の建造物構造体において、以上の図１及び図９から図１６の係止方法はいずれも軽量球体８を剛性保持部材１０と係止筋７により少なくとも３点以上で保持されて係止されることにより図示しない型枠内にコンクリート材を流し入れたときに空間部１５内から軽量球体８が浮き上がること、及びコンクリート材の流れによる移動を抑えることができるボイドユニット構成である。
【００５１】
続いて本発明の建造物構造体においては、図１７から図２３は軽量球体８を下方１７から保持する保持部材１１が可撓性保持部材１１からなり帯状保持部材１１ａ又は紐状保持部材１１ｂで構成される。前記可撓性保持部材１１の両端には上端筋３と係止する別体のフック部１２を備えており前記保持部材１１ａ，１１ｂは何れも折りたたんでコンパクトに収納することが可能なボイドユニット構成とすることが可能である。
【００５２】
図１７及び図１８において可撓性保持部材１１は帯状保持部材１１ａであり、軽量球体８の下方１７に設けた係止溝２０に帯状保持部材１１ａを１本嵌入し、さらに軽量球体８の頂部１６には前記帯状保持部材１１ａと直行するように設けた係止筋７が２本平行に埋設されており、前記軽量球体８は下方１７と頂部１６の両面から係止したボイドユニット構成とすることが可能である。
【００５３】
本発明の建造物構造体において図１９は、帯状保持部材１１ａを用いており軽量球体８の下方１７には帯状保持部材１１ａが１本埋設して保持され、さらに軽量球体８の頂部１６には前記保持部材１１ａと直行するように設けた係止溝２０に係止筋７が１本嵌入されており、前記軽量球体８は幅広な帯状保持部材１１ａであることにより前記帯状保持部材１１ａの巾方向と、頂部１６の係止筋７により略３点支持されたボイドユニット構成とすることが可能である。
【００５４】
続いて、図２０は軽量球体８の下方１７の２箇所に設けた係止溝２０を設け、該係止溝２０には２本の紐の両端にフック部を備えた紐状保持部材１１ｂを嵌入し接着固定して軽量球体８を保持すると共に、軽量球体８の頂部１６には前記紐状保持部材１１ｂと直行するように設けた１本の係止筋７により上端筋３に係止したボイドユニット構成である。
【００５５】
続いて、図２１は軽量球体８の下方１７に紐状保持部材１１ｂの一部を埋設して軽量球体８を保持すると共に、軽量球体８の頂部１６には前記紐状保持部材１１ｂと直行するように設けた１本の係止筋７により上端筋３に係止したボイドユニット構成である。
【００５６】
続いて、図２２は図１９におけるボイドユニット２を形成する手順を示すボイドユニット２の断面説明図である。図の中央と右側は帯状保持部材１１ａのフック部１２により軽量球体８が上端筋３に架設されており、左側はこれから軽量球体８を架設する状態を示しており、３個の軽量球体８を１本で係止する長い係止筋７がこれから嵌入されようとしている。図では予め複数本の上端筋３と下端筋４を所定間隔だけ離して複数本の巾止部材６によって固定配置した格子状構造部材５を形成しておき、該格子状構造部材５に形成された空間部１５に帯状保持部材１１ａを埋設した軽量球体８を１個ずつ順に配置して帯状保持部材１１ａの両端のフック部１２を上端筋３に引っ掛けて保持し、該軽量球体８の頂部１６に複数の軽量球体８を係止可能な長い係止筋７を嵌入すると共に前記格子状構造部材５の上端筋３に架設したボイドユニット構成とすることが可能である。
【００５７】
本発明の建造物構造体２においては、図２３は４個連続した帯状保持部材１１ａであり、この保持部材１１ａに４個の軽量球体８を接着して取り付けるとともに、この帯状保持部材１１ａの両端にフック部１２を備えており、前記フック部１２の片端を上端筋３に引っ掛け、続いて格子状構造部材５に形成された空間部１５に軽量球体８を配置することで４個の軽量球体を繋ぐ帯状保持部材１１ａの３箇所は上端筋３に引っ掛かり、最後に他方のフック部１２を上端筋３に引っ掛けることにより、前記４個の軽量球体８を結ぶ帯状保持部材１１ａが各々３箇所の上端筋３に引っ掛かるフック部１２を兼ねると共に両端のフック部１２と合わせた５箇所で保持される。さらに前記軽量球体８は埋設された係止筋７により係止される。このように保持部材１１ａが連続した帯状可撓性保持部材１１ａなどの可撓性保持部材１１ａからなり、この保持部材１１ａに複数の軽量球体８を取り付けると共に、この可撓性保持部材１１ａの両端にフック部材１２を備えたボイドユニット構成とすることが可能である。
【００５８】
以上により、本発明は、それぞれが格子状に配置した上端筋３と下端筋４からなる格子状構造部材５を平行に配置し、その上下各格子状構造部材５を巾止部材６で連結することにより立体的な格子状構造部材５を形成することが出来るとともに、上端筋３と下端筋４によって碁盤目状に区画された空間部１５内に発泡樹脂製中実体または樹脂製中空材から成る複数の軽量球体８が縦横に配置させ、列方向に並んだ前記空間部１５の間隔に対応するように複数の軽量球体８を保持した係止筋７を設け、この係止筋７を上端筋３と連結して各軽量球体８を空間部１５内に配置したことにより、立体的に形成された格子状構造部材５の上端筋３による格子状構造部材５の格子隙間から軽量球体８を立体的な格子状構造部材５の空間部１５に挿入し、軽量球体８を保持した係止筋７を上端筋３と連結することにより３次元構造要素８である軽量球体８を簡単に係止することが出来る。また、巾止部材６で連結された立体的な格子状構造部５は堅牢であり該立体的な格子状構造部材５上に乗って軽量球体８を配置することが出来ることから、軽量球体８を保持した係止筋７を上端筋３と連結する作業を容易に行うことが出来る。さらに、簡単な構造であることによりコンクリート材３１などの流動素材を流し込んでも、前記３次元構造要素である軽量球体８がコンクリート材の流れにより移動したり浮き上がったりすることを阻止され、所望位置に安定して位置させることが可能であり、強度分布のばらつきを抑えた複合建造物構造体を得ることができる。
【００５９】
また、本発明は、軽量球体８の頂部１６近傍に係止溝２０を形成し、この係止溝２０内に係止筋７を嵌入又は接着固定して該係止筋７に各軽量球体８を保持したことにより、軽量球体８は、頂部１６近傍に形成した係止溝２０に後から前記係止筋７を嵌入することが出来ると共に、嵌入部を接着固定して該係止筋７に各軽量球体８を保持させることにより係止筋７と各軽量球体８を一体的に形成することが出来るので軽量球体８は係止筋７と一体に取り扱うことが出来るので簡単に上端筋３と連結することが出来る。
【００６０】
また、本発明は、軽量球体８に係止筋７の一部を埋設または貫通させて該係止筋７に各軽量球体８を保持したことにより、軽量球体８を形成する段階で係止筋７の一部を埋設して一体的に形成して保持させることが出来ると共に、軽量球体８に係止筋７の一部を貫通させて該係止筋７に各軽量球体８を保持させることなどにより係止筋７と各軽量球体８を一体的に形成することが出来るので軽量球体８は係止筋７と一体に取り扱うことが出来るので簡単に上端筋３と連結する作業を行うことが出来る。
【００６１】
また本発明は、係止筋３は、空間部１５内からの軽量球体８の浮き上がり及びコンクリート材の流れによる移動を抑えるために、少なくとも２本の係止筋７を上端筋３に架設させたことにより、軽量球体８は２本の係止筋３により安定した状態で上端筋３に架設させることが出来る。さらに軽量球体８に対して係止筋７を２本以上配置すれば、軽量球体８の上に作業者が乗っても軽量球体８は落下せず、軽量球体8が踏み抜かれる恐れはない。また、軽量球体８や係止筋の形状がシンプルなため嵩張らず現場への運搬と楊重、及び材料管理が簡単である。
【００６２】
また本発明は、それぞれが格子状に配置した上端筋３と下端筋４からなる格子状構造部材５を平行に配置し、その上下各格子状構造部材５を巾止部材６で連結することにより立体的な格子状構造部材５を形成することが出来るとともに、上端筋３と下端筋４によって碁盤目状に区画された空間部１５内に発泡樹脂製中実体または樹脂製中空材から成る複数の軽量球体８が縦横に配置したボイドユニット２において、複数の軽量球体８の下方１７を保持した保持部材１０，１１を設けたことにより、この保持部材１０，１１に形成するフック部１２を上端筋３に引っ掛けて空間部１５内に軽量球体８を簡単に配置することが出来ると共に、その空間部１５内から軽量球体８の浮き上がり及びコンクリート材の流れによる移動を抑える係止筋７を上端筋３に架設させていることにより、軽量球体８は保持部材１０，１１と係止筋７により上端筋３に架設させることが出来るので上端筋３に強固で安定した架設を行うことが出来る。これにより下方から支えられた軽量球体８の上に作業者が乗っても軽量球体８は落下せず、軽量球体８が踏み抜かれる恐れはない。さらに、立体的な格子状構造部５の上に乗って軽量球体８を保持部材１０，１１に形成したフック部１２で引っ掛けて配置することが出来ると共に、軽量球体８を保持した係止筋７を上端筋３と連結する作業を容易に精度よく行うことが出来るので格子状構造部材５は床面に限らず、壁面においても容易に組み立てを行うことが出来ると共に、強度分布のばらつきを抑えた複合建造物構造体を得ることができる。
【００６３】
また本発明は、保持部材１０，１１は金属製または樹脂製であり両端に上端筋３と係止するフック部１２を形成した剛性保持部材１０であることにより軽量球体８を保持した保持部材１０のフック部１２の位置は固定され、上端筋３に前記フック部１２で引っ掛けて配置する作業を容易に行うことが出来ると共に、保持部材１０，１１は可撓性を有した紐状または帯状で両端に上端筋３と係止する別体のフック部１２を備えた可撓性保持部材１１であることによりコンパクトに収納することが可能であり、保管や搬送におけるスペースは最小限に抑えながら、上端筋３に配置する場合はフック部１２を引っ掛けて配置することが出来るので作業を容易に行うことが出来る。また、軽量球体８に設けた係止溝２０内に保持部材１１を嵌入して軽量球体８を保持したことにより軽量球体８は着脱容易に取り付けることが出来ると共に、軽量球体８に設けた係止溝２０内に保持部材１１を嵌入して軽量球体８を接着固定する、或いは保持部材１１の一部を軽量球体８に埋設して該保持部材１１に各軽量球体８を保持したことにより、軽量球体８は保持部材１１と一体形成することが出来るので上端筋３に軽量球体８を配置するときはフック部１２を引っ掛けて配置する作業を容易に行うことが出来るので効率的に作業を行うことが出来る。
【００６４】
また本発明は、保持部材１０，１１が連続した剛性保持部材１０からなり、この剛性保持部材１０に空間部１５内の間隔に対応させて複数の軽量球体８を取り付けるとともに、上端筋３の間隔に応じた複数のフック部１２を形成したことにより、一回の取付け作業で複数の軽量球体８を複数の空間部１５内に配置し、複数の上端筋３に複数のフック部１２を一度に引っ掛けて係止することが出来るので作業を効率的に進めることが出来る。
【００６５】
また本発明は、保持部材１０，１１が連続した可撓性保持部材１１からなり、この保持部材１１に複数の軽量球体８を取り付けるとともに、この可撓性保持部材１１の両端にフック部１２を備えたことにより、一回の取付け作業で複数の軽量球体８を複数の空間部１５内に配置し、両端のフック部１２と複数の軽量球体８を繋ぐ可撓性保持部材１１とにより複数の上端筋３に引っ掛けて係止することが出来る。
【００６６】
本発明は、それぞれが格子状に配置した上端筋３と下端筋４からなる格子状構造部材５を平行に配置し、その上下各格子状構造部材５を巾止部材６で連結することにより予め上下の格子状構造部材５を巾止部材６で連結して立体を成した格子状構造部材５を形成してから軽量球体８を配置することが出来るので格子状に組まれた上端筋３の上に乗って配置作業を行うことが出来ると共に、前記立体を成した格子状構造部材５の形成作業と、軽量球体８を配置する作業は分けて行うことができるので作業は簡単で熟練を必要としない。
【００６７】
また本発明は、上端筋３と下端筋４によって碁盤目状に区画された空間部１５内に発泡樹脂製中実体または樹脂製中空材から成る複数の軽量球体８は１体の球体であり、形状がシンプルなため製作が容易で軽量球体８の費用とこれを形成するための金型費は安価である。また、シンプルな形状により大きさは任意に製作することが可能で、軽量球体８は大きさ別に複数の種類を安価で用意することが出来、複数種のボイドユニット２を備えることが容易であり、これと共に格子状構造部材５を配筋するピッチも任意に設定することが出来る。
【００６８】
また本発明は、碁盤目状に区画された空間部１５内に複数の軽量球体８を縦横に配置したボイドユニット２において、列方向に並んだ前記空間部１５の間隔に対応するように複数の軽量球体８を保持した係止筋７を設け、この係止筋７を上端筋３と連結して各軽量球体８を空間部１５内に配置したことにより、立体的に形成された格子状構造部材５の上端筋３による格子状構造部材５の格子隙間から軽量球体８を立体的な格子状構造部材５の空間部１５に挿入し、軽量球体８を保持した係止筋７を上端筋３と連結することが出来るので格子状構造部材５は床面に限らず、壁面においても容易に精度よく組み立てを行うことが出来る。
【００６９】
本発明の建造物構造体２を用いた複合建造物構造は、上記のボイドユニット構成から成るボイドユニット２と、これを一体的に埋設した現場施工コンクリート版、プレキャストコンクリート版、壁または床スラブであるコンクリート材からなる中空コンクリート版である。これにより、本発明の中空コンクリート版は、上記のいずれかのボイドユニット構成と、これを一体的に埋設したコンクリート材からなることにより、組立作業が簡単で、且つ上端筋３と下端筋４によって碁盤目状に区画された空間部１５内に発泡樹脂製中実体または樹脂製中空材から成る複数の軽量球体８が縦横に配置したボイドユニット２をコンクリート材により一体的に埋設した軽量で強固なプレキャストコンクリート版、壁面スラブの施工、または床スラブの中空コンクリート版とすることが出来る。
【００７０】
本発明の中空コンクリート版によれば、この中空コンクリート版は、前述のボイドユニット構成と、これを一体的に埋設したコンクリート材からなることにより、組立作業が簡単で、且つ上端筋３と下端筋４によって碁盤目状に区画された空間部１５内に発泡樹脂製中実体または樹脂製中空材から成る複数の軽量球体８が縦横に配置したボイドユニット８を一体的に埋設したコンクリート材による軽量で強固な中空コンクリート版とすることが出来るので中空コンクリート版工法の簡略化を実現すると共に、施工工数の削減による低コスト化を実現することが出来る。さらに施工途中に設計変更などにより中空コンクリート版の施工面積を削減するような場合でもコンクリート材で埋設する前であれば軽量球体を１個ずつ簡単に除去することが出来る。
【００７１】
さらに軽量球体８を格子状構造部材５と一体的に組み立ててボイドユニット構成としたことにより配置精度が容易に得られることから高い精度が要求される壁面施工も可能であり、浮力が大きくなる厚いスラブにも適用が可能となる。また、設計値通りのスラブ強度、遮音性、断熱性が得られると共に騒音の低下と省エネに効果を発揮し、集合住宅、ホテル、学校、立体駐車場など、床からの騒音や床の衝撃音を著しく改善することが出来る。
【００７２】
また、本発明の中空コンクリート版は、ボイドユニット構成を用いたことにより組立作業が簡単で且つ軽量で強固な現場施工コンクリート版とすることが出来ると共に、組立作業が簡単で且つ軽量で強固なプレキャストコンクリート版とすることも出来ると共に、組立作業が簡単で且つ軽量で強固な壁スラブ、または床スラブとすることが出来る。
【００７３】
また、本発明の中空コンクリート版は、前記立体を成した格子状構造部材５の形成作業と、軽量球体８を配置する作業と、コンクリート材を流し込んで固化させる作業は分けて行うことができるので作業は簡単であり熟練を必要としない。
【００７４】
また、本発明の建造物の施工方法は、型枠に略平行に配置された複数本の上端筋と下端筋を上下に所定距離だけ離して複数本の巾止部材によって固定配置し、該複数本の上端筋と下端筋はそれぞれが略直行するように配置されてそれらの間に複数の格子状の空間部を形成し、次に、格子状に配置された空間部の上端部には所定間隔で略平行に配置された複数本の係止筋によって係止された３次元構造要素を上端筋に架設して建造物構造体を形成し、又は、保持部材によって下方から保持された３次元構造要素を該複数の格子状の空間部に配置して架設し、さらに、係止筋によって３次元構造要素を係止して建造物構造体を形成し、これら建造物構造体にコンクリート等の３次元構造要素とは異なった流動性素材を流し込んで固化させるものである。
【００７５】
以上、本実施例を詳述したが、本発明は、前記実施例に限定されるものではなく、本発明の要旨の範囲内で種々の変形実施が可能である。例えば、３次元構造要素８は中実又は中空の軽量球体８に限らず木片や紙などの軽量物、或いは金属や石材のような重量物など、コンクリート材など３次元構造要素とは異なった流動性素材に埋設可能な状態であればよく、また、３次元構造要素８の形状も複合建造物構造体における強度や加工性を配慮して変更するなど前記実施例に限定されるものではなく、適宜選定すればよい。
【図面の簡単な説明】
【００７６】
【図１】本発明の第二実施例における軽量球体を係止筋１本と剛性保持部材２本を共に嵌入して保持したボイドユニットの概略構成を示す平面説明図である。
【図２】本発明の第一実施例における軽量球体と係止筋の嵌入係止構造を示す説明図である。
【図３】本発明における軽量球体と係止筋の接着係止構造を示す説明図である。
【図４】本発明における軽量球体に係止筋の一部を埋設又は貫通させた係止構造を示す説明図である。
【図５】本発明の第一実施例における２本の係止筋を埋設した軽量球体を上端筋に架設して係止したボイドユニットの概略構成を示す平面説明図である。
【図６】本発明における図５に示すボイドユニットの断面を示す説明図である。
【図７】本発明における図５に示すボイドユニットの別断面を示す説明図である。
【図８】本発明における図５に示すボイドユニットを形成する手順を示す断面説明図である。
【図９】本発明の第二実施例における剛性保持部材２本を嵌入し、係止筋１本を埋設又は貫通させたボイドユニットの断面を示す説明図である。
【図１０】本発明における図９に示すボイドユニットの別断面を示す説明図である。
【図１１】本発明の第二実施例における剛性保持部材１本を埋設し、係止筋２本を埋設したボイドユニットの断面を示す説明図である。
【図１２】本発明における図１１に示すボイドユニットの別断面を示す説明図である。
【図１３】本発明の第二実施例における剛性保持部材２本を直行して接着し、係止筋１本を接着したボイドユニットの断面を示す説明図である。
【図１４】本発明における図１３に示すボイドユニットの別断面を示す説明図である。
【図１５】本発明における図１３に示すボイドユニットを形成する手順を示す断面説明図である。
【図１６】本発明の第二実施例における連続した剛性保持部材２本を嵌入し、係止筋１本を埋設したボイドユニットの断面を示す説明図である。
【図１７】本発明の第二実施例における帯状の可撓性保持部材１本を嵌入し、係止筋２本を埋設したボイドユニットの断面を示す説明図である。
【図１８】本発明における図１７に示すボイドユニットの別断面を示す説明図である。
【図１９】本発明の第二実施例における帯状の可撓性保持部材１本を埋設し、係止筋１本を嵌入したボイドユニットの断面を示す説明図である。
【図２０】本発明の第二実施例における２本の紐状からなる可撓性保持部材１本を接着し、係止筋１本を嵌入したボイドユニットの断面を示す説明図である。
【図２１】本発明の第二実施例における２本の紐状からなる可撓性保持部材１本を埋設し、係止筋１本を嵌入したボイドユニットの断面を示す説明図である。
【図２２】本発明における図１９に示すボイドユニットを形成する手順を示す断面説明図である。
【図２３】本発明の第二実施例における帯状の可撓性保持部材１本を接着し、係止筋１本を埋設したボイドユニットの断面を示す説明図である。
【符号の説明】
【００７７】
２          ボイドユニット（建造物構造体）
３          上端筋
４          下端筋
５          格子状構造部材
６          巾止筋
７          係止筋
８          軽量球体（３次元構造要素）
１０        剛性保持部材（保持部材）
１１        可撓性保持部材（保持部材）
１５        空間部
１７        下方
【図１】
2006089994.tif 000003
【図２】
2006089994.tif 000004
【図３】
2006089994.tif 000005
【図４】
2006089994.tif 000006
【図５】
2006089994.tif 000007
【図６】
2006089994.tif 000008
【図７】
2006089994.tif 000009
【図８】
2006089994.tif 000010
【図９】
2006089994.tif 000011
【図１０】
2006089994.tif 000012
【図１１】
2006089994.tif 000013
【図１２】
2006089994.tif 000014
【図１３】
2006089994.tif 000015
【図１４】
2006089994.tif 000016
【図１５】
2006089994.tif 000017
【図１６】
2006089994.tif 000018
【図１７】
2006089994.tif 000019
【図１８】
2006089994.tif 000020
【図１９】
2006089994.tif 000021
【図２０】
2006089994.tif 000022
【図２１】
2006089994.tif 000023
【図２２】
2006089994.tif 000024
【図２３】
2006089994.tif 000025